(57)【要約】【課題】機種別の制御コードの追加が可能で、多くの種類の機器を制御することのできるリモートコントローラを提供する。【解決手段】被制御機器２０を操作するための入力を行う入力部１５と、入力部１５で入力された操作に対応する制御コードを被制御機器２０に送信する制御コード送信部１２と、被制御機器２０を制御するための制御コードを機種ごとにまとめた機種別制御コード群を受信する機種別制御コード群受信部１１と、機種別制御コード群を記憶するメモリ１３ｂとを備える。【選択図】  図１
2004253918.tif 000002
【特許請求の範囲】
【請求項１】
被制御機器を操作するための入力を行う入力手段と、前記入力手段で入力された操作に対応する制御コードを前記被制御機器に送信する制御コード送信手段と、前記被制御機器を制御するための前記制御コードを機種ごとにまとめた機種別制御コード群を受信する機種別制御コード群受信手段と、前記機種別制御コード群受信手段で受信した前記機種別制御コード群を記憶する記憶手段とを備えることを特徴とするリモートコントローラ。
【請求項２】
操作状況を表示する表示手段を備えることを特徴とする請求項１記載のリモートコントローラ。
【請求項３】
自らをリモートコントローラにより制御するための制御コードをまとめた機種別制御コード群を記憶している記憶手段と、前記リモートコントローラに前記機種別制御コード群を送信する機種別制御コード群送信手段と、前記リモートコントローラから前記制御コードを受信する制御コード受信手段とを備えることを特徴とする被制御機器。
【請求項４】
請求項１又は請求項２記載のリモートコントローラ及び請求項３記載の被制御機器とを備えることを特徴とするリモートコントロールシステム。
【請求項５】
被制御機器をリモートコントローラにより制御するための制御コードを機種ごとにまとめた機種別制御コード群を少なくとも１つ記憶している記憶手段と、前記リモートコントローラに前記機種別制御コード群を送信する機種別制御コード群送信手段とを備えることを特徴とするリモートコントローラ用送信機。
【発明の詳細な説明】
【０００１】
【発明の属する技術分野】
本発明は、使用者の操作に応じた制御コードを被制御機器に送信し被制御機器を制御するリモートコントローラに関するものである。
【０００２】
【従来の技術】
従来のリモートコントローラは、単体のリモートコントローラで複数の機器を制御する方法としてリモートコントローラが被制御機器から機器識別信号を受信して被制御機器を識別して、識別結果に基づき各操作キーに割り付けられる機能を被制御機器に応じて変更設定している（例えば、特許文献１参照）。
【０００３】
また、タッチパネル構成の操作画面部に表示された複数の制御対象設備から所望の制御対象機器を選択すると、操作画面部の表示画面が選択された制御対象設備の制御操作画面に切り替わり、この画面からオン，オフ等の制御操作をおこなうものもある（例えば、特許文献２参照）。
【０００４】
【特許文献１】
特開平７−４６４３７号公報（第２−５頁、第１−３図）
【特許文献２】
特開平８−５１６７４号公報（第２−８頁、第３−６図）
【０００５】
【発明が解決しようとする課題】
しかしながら、従来のリモートコントローラにおいては、各複数の機種別制御コード群が記憶されており、記憶されている複数の機器を制御できても、前記機種別制御コード群の入れ替え及び追加は不可能の為、対応する機器には限りがあり、新しく開発された機器には対応できないという問題があった。
【０００６】
本発明は、従来の問題を解決するためになされたもので、機種別の制御コードの追加が可能で、多くの種類の機器を制御することのできるリモートコントローラを提供することを目的とする。
【０００７】
【課題を解決するための手段】
本発明のリモートコントローラは、被制御機器を操作するための入力を行う入力手段と、入力手段で入力された操作に対応する制御コードを被制御機器に送信する制御コード送信手段と、被制御機器を制御するための制御コードを機種ごとにまとめた機種別制御コード群を受信する機種別制御コード群受信手段と、機種別制御コード群受信手段で受信した機種別制御コード群を記憶する記憶手段とを備える構成を有している。
この構成により、新たな機器の機種別制御コード群を受信及び記憶をすることができる。
【０００８】
また、本発明のリモートコントローラは、操作状況を表示する表示手段を備える構成を有している。
この構成により、どのような操作を行っているかを使用者が確認することができる。
【０００９】
本発明の被制御機器は、自らをリモートコントローラにより制御するための制御コードをまとめた機種別制御コード群を記憶している記憶手段と、リモートコントローラに機種別制御コード群を送信する機種別制御コード群送信手段と、リモートコントローラから制御コードを受信する制御コード受信手段とを備える構成を有している。
この構成により、リモートコントローラに新たな機器の機種別制御コード群を送信することができる。
【００１０】
本発明のリモートコントロールシステムは、請求項１又は請求項２記載のリモートコントローラ及び請求項３記載の被制御機器とを備える構成を有している。
この構成により、１つのリモートコントローラで複数の種類の機器を制御することができる。
【００１１】
本発明のリモートコントローラ用送信機は、被制御機器をリモートコントローラにより制御するための制御コードを機種ごとにまとめた機種別制御コード群を少なくとも１つ記憶している記憶手段と、リモートコントローラに機種別制御コード群を送信する機種別制御コード群送信手段とを備える構成を有している。
この構成により、リモートコントローラに新たな機器の機種別制御コード群を送信することができる。
【００１２】
【発明の実施の形態】
以下、本発明の実施の形態について、図面を用いて説明する。
本発明の一実施の形態のリモートコントローラ１０と、被制御機器２０の一部を図１に示す。図１において、リモートコントローラ１０は、被制御機器２０から送信された機種別制御コード群を受信する機種別制御コード群受信部１１と、操作状況を表示する表示手段であるディスプレイ１４と、使用者が被制御機器２０を操作するための入力を行うスイッチ群である入力部１５と、機種別制御コード群を切り替えるための機種別制御コード群切り替えスイッチ（ＳＷ）１６と、被制御機器２０から機種別制御コード群を受信するための機種別制御コード群受信要請スイッチ（ＳＷ）１７と、使用者の操作に対応した制御コードを機種別制御コード群から選択し送信する制御コード送信部１２と、これらを制御するための制御部１３を備えている。また、制御部１３には、各命令の実行及び演算をおこなうマイクロプロセッサ１３ａならびに制御プログラム及び機種別制御コード群の各々の少なくとも１つ以上記憶する記憶手段であるメモリ１３ｂを持つ。尚、本実施例においては、制御部１３をマイクロプロセッサ１３ａ及び制御プログラムで構成させているが、このような構成に限られるものではなく、ハードウェアによって、同様な機能を実現することも可能である。
【００１３】
また、被制御機器２０は、リモートコントローラに機種別制御コード群を送信する機種別制御コード群送信装置２１、リモートコントローラから送信される制御コードを受信する制御コード受信部２２を備えている。尚、被制御機器２０の機器としての本来の機能構成要素（図示せず）、機種別制御コード群送信装置２１及び制御コード受信部２２を制御するために、制御部（図示せず）を備えている。
【００１４】
以上のように構成されたリモートコントロールシステムについて、その動作を説明する。尚、以後の本実施の形態の説明において、括弧内の符号は図２〜図５のフローチャートの符号に対応している。
【００１５】
まず、被制御機器２０を制御するときは、使用者が被制御機器２０を操作するための入力を入力部１５を介して行う（Ｓ１０３：Ｙ）。すると、マイクロプロセッサ１３ａは如何なる入力がおこなわれたかを判別（Ｓ１０４）し、アクティブな機種別制御コード群から操作に対応する制御コードを検索する（Ｓ１０５）。そして、制御コード送信部１２より検索した制御コードを被制御機器２０に送信する。制御コード受信部２２より制御コードを受信した（Ｓ２０２：Ｙ）被制御機器２０は、その被制御機器２０ごとの制御部に処理を依託し（Ｓ２０３）、被制御機器２０は、使用者の操作に見合った動作をすることになる。
【００１６】
また、リモートコントローラ１０によって操作できる被制御機器を変えたいときは、使用者がリモートコントローラ１０の機種別制御コード群切り替えスイッチ１６を押す（Ｓ１０２：Ｙ）ことにより、アクティブな機種別制御コード群の切り替え（機種別制御コード群切り替え手段Ｓ１１０）を行う。
【００１７】
このときメモリ１３ｂに複数の機種別制御コード群が記憶されていなければ（Ｓ１１１：Ｎ）切り替えは不可能であるので、そのまま使用者の操作待ち状態となる。切り替えるべき複数の機種別制御コード群が記憶されているならば（Ｓ１１１：Ｙ）、メモリ１３ｂ内に記憶されている機種別制御コード群の一覧をディスプレイ１４に表示し（Ｓ１１２）、使用者はアクティブにする機種別制御コード群を選択する（Ｓ１１３）。そして、選択された機種別制御コード群が何であるかを表示する（Ｓ１１４）と共に、アクティブにし（Ｓ１１５）、アクティブな機種別制御コード群の切り替え作業を終了し、使用者の操作待ち状態となる。
【００１８】
また、新しく制御対象となる機器が増加した時は、使用者がリモートコントローラ１０の機種別制御コード群受信要請スイッチ１７を押す（Ｓ１０１：Ｙ）ことにより、機種別制御コード群受信要請（機種別制御コード群受信要請手段Ｓ１２０）を行う。機種別制御コード群受信要請手段（Ｓ１２０）では、まず、マイクロプロセッサ１３ａがメモリ１３ｂに新たに機種別制御コード群を記憶する空き容量があるかチェックする（Ｓ１２１）。空き容量があるときは（Ｓ１２１：Ｙ）、制御コード送信部１２より被制御機器２０に対し機種別制御コード群受信要請コードを送信する（Ｓ１２８）。機種別制御コード群受信要請コードを受信した（Ｓ２０１）被制御機器２０は、機種別制御コード群を送信（Ｓ２０４）し、リモートコントローラ１０はその機種別制御コード群を機種別制御コード群受信部１１より受信する（Ｓ１２９）。受信した機種別制御コード群はメモリ１３ｂに記憶され（Ｓ１３０）、受信した内容と受信が完了したことをディスプレイ１４にガイダンスし（Ｓ１３１）、使用者の操作待ち状態となる。
【００１９】
メモリ１３ｂに新たに機種別制御コード群を記憶する空き容量が足りないときは（Ｓ１２１：Ｎ）、ディスプレイ１４に空き容量が足りない旨をガイダンスし（Ｓ１２２）、既存の機種別制御コード群の上書きを許可するか使用者に問う（Ｓ１２３）。ここで、使用者は上書きの可否を入力し（Ｓ１２３）、上書きが許可されないならば（Ｓ１２４：Ｎ）処理を終了し使用者からの操作待ちの状態となる。上書きが許可されたならば（Ｓ１２４：Ｙ）、どの機種別制御コード群を削除すべきか使用者が選択するためにメモリ１３ｂ内の機種別制御コード群の一覧をディスプレイ１４に表示する（Ｓ１２５）。使用者が削除する機種別制御コード群を選択したならば（Ｓ１２６）、その選択された機種別制御コード群をメモリ１３ｂから削除する（Ｓ１２７）。この後は、メモリ１３ｂに空き容量があるときと同様な処理を行う（Ｓ１２８以降）。
【００２０】
このような本発明の実施の形態によれば、リモートコントローラ１０内の、被制御機器２０から送信される機種別制御コード群を変更、追加する機能を備えることにより、リモートコントローラ１０が複数の種類の被制御機器２０の機種別制御コード群を保持し、それを切り替えるだけで１つのリモートコントローラ１０で複数の種類の被制御機器２０を制御することができる。
【００２１】
また、他の機器を買入等したときは、その機器の制御コードをそれまで使用してきたリモートコントローラ１０に記憶することで操作可能となり、使用者は複数のリモートコントローラから適応するものを選択する手間が省け、リモートコントローラ１０の管理も楽になる。
【００２２】
さらに、機種別制御コードは被制御機器２０からリモートコントローラ１０に送信されるので、リモートコントローラ自体を交換したり、他の設備や環境、商品の買入は不要である。
【００２３】
尚、本発明の実施の形態では、被制御機器２０に機種別制御コード群送信部２１を設け、被制御機器２０自身のための機種別制御コード群をリモートコントローラ１０に送信するようにしている。しかしながら、機種別制御コード群を送信する機器は、被制御機器２０に限られるものではなく、機種別制御コード群を専ら送信するための機能を有するリモートコントローラ用送信機であってもよい。
【００２４】
このリモートコントローラ用送信機は、被制御機器を制御するための制御コードを機種ごとにまとめた機種別制御コード群を少なくとも１つ記憶している記憶手段と、リモートコントローラ１０に機種別制御コード群を送信する機種別制御コード群送信手段と、各手段を制御する制御手段とを備える。そして、予め記憶手段に記憶された特定の機器用の機種別制御コード群を使用者が選択して、リモートコントローラ１０に送信するようにする。これにより、機種別制御コード群送信部２１を有さない被制御機器に対しても操作可能なリモートコントローラ１０とすることができるようになる。
【００２５】
【発明の効果】
以上のように本発明は、被制御機器を制御するための制御コードを機種ごとにまとめた機種別制御コード群を受信する機種別制御コード群受信手段を備えることにより、機種別の制御コードの追加が可能で、多くの種類の機器を制御することのできるという効果を有するリモートコントローラを提供することができるものである。
【図面の簡単な説明】
【図１】本発明の実施の形態におけるリモートコントローラと被制御機器のブロック図
【図２】本発明の実施の形態のリモートコントローラの動作を示すフローチャート
【図３】本発明の実施の形態の機種別制御コード群切り替え手段の動作を示すフローチャート
【図４】本発明の実施の形態の機種別制御コード群受信要請手段の動作を示すフローチャート
【図５】本発明の実施の形態の被制御機器の動作を示すフローチャート
【符号の説明】
１０  リモートコントローラ
１１  機種別制御コード群受信部
１２  制御コード受信部
１３  制御部
１３ａ  マイクロプロセッサ
１３ｂ  メモリ
１４  ディスプレイ
１５  入力部
１６  機種別制御コード切り替えスイッチ
１７  機種別制御コード受信要請スイッチ
２０  被制御機器
２１  機種別制御コード群送信部
２２  制御コード受信部
【図１】
2004253918.tif 000003
【図２】
2004253918.tif 000004
【図３】
2004253918.tif 000005
【図４】
2004253918.tif 000006
【図５】
2004253918.tif 000007